(57)【要約】【課題】  手袋着用時の作業中に、瞬間メモをしておきたいと思ったときに、手袋を着用したままの状態で、手帳を取り出し、手袋をはめたままの指で，手帳のページをめくることが難しく、即座にメモ内容を記入することが、困難であった。【解決手段】  本発明は、手の甲の部分に当たる、手袋の外面側に、メモ内容を記入することが出来る、メモ記入用部材を設けたことにより、手袋をはめたままでも、即座にメモを記入することが、可能になった。  また、複数枚の着脱型メモ用部材を手袋の甲の部分に設ける場合は、めくる部分が常に一番外側になるように、１枚ずつ階段状にずらして重ねた状態で設置することにより、手袋をはめたままの指で、１枚目を容易にめくる事が可能になり、即座に２枚目にメモをすることが可能になった。【選択図】図１
2015052190.tif 000002
【特許請求の範囲】
【請求項１】
手袋の甲の部分に、メモ記入が可能な、各種色彩をもつ各種形状のメモ用部材を設けたことを特徴とする手袋。
【請求項２】
手袋の甲の部分に、メモ用部材を接着剤により固定した、請求項Ｉに記載の手袋。
【請求項３】
手袋の甲の部分に、塗布した塗布剤の硬化した表面を、メモ用部材としたことを特徴とする、請求項Ｉに記載の手袋。
【請求項４】
請求項３に記載の表面硬化部に、着脱型メモ用部材を、貼り付けたことを特徴とする、請求項Ｉに記載の手袋。
【請求項５】
請求項３に記載の表面硬化部に、複数枚の着脱型メモ用部材を、一番上側になるメモ用部材のめくる側の端部が、常に一番外側にはみ出るように、一枚ずつ階段状にずらして重ねた状態で、手袋に設置したことを特徴とする、請求項Ｉに記載の手袋。
【発明の詳細な説明】
【技術分野】
【０００１】  本発明は、手袋着用時における、メモ内容の記入及び確認行為に、利便さを供するものである。
【背景技術】
【０００２】  先行技術に、腕巻型メモ具として、手帳機能を集約したものがあるが、手袋を着用した指では、操作がし難いという問題点の解決になっていなかった。
従来、手袋を着用して作業している時に、瞬間、メモをしておきたいと思ったときは、手袋を着用したまま、手帳をポケットから取り出し、手袋をはめたままの指でめくり難いページをめくって、メモ内容を記入しており、非常に面倒なことであった。
また、手袋を着用したままの作業中に、メモを記入したいときは、手袋をすこしずらして、直接手のひらに書き込んでいたり、事前に手のひらに記入しておいたメモ内容を、確認しようとした時は、汗で消えかかってしまい、後に判読することが困難となることがあった。
【先行技術文献】
【特許文献】
【０００３】
【特許文献１】特開２００２−２８３７７１号公報
【発明の概要】
【発明が解決しようとする課題】
【０００４】  手袋を着用して作業している時に、瞬間メモをしておきたいと思うことがあったが、手袋を着用したままの指では、手帳の薄い用紙をめくることが困難であり、その都度手袋を外して行わなければならず、急いでメモをすることが出来ないという問題点があった。
【課題を解決するための手段】
【０００５】  以上の課題を解決するために、第一発明は、手袋の甲の部分に、メモ記入が可能な、各種色彩をもつ各種形状のメモ用部材を設けたことを特徴とする手袋である。
第二発明は、手袋の甲の部分に、メモ用部材を接着剤により固定した、第一発明に記載の手袋である。
第三発明は、手袋の甲の部分に塗布した、塗布剤の硬化した表面を、メモ用部材としたことを特徴とする、第一発明に記載の手袋である。
第四発明は、第三発明に記載の表面硬化部に、着脱型メモ用部材を、貼り付けたことを特徴とする、第一発明に記載の手袋である。
第五発明は、第三発明に記載の表面硬化部に、複数枚の着脱型メモ用部材を、一番上側になるメモ用部材のめくる側の端部が、常に一番外側にはみ出るように、一枚ずつ階段状にずらして重ねた状態で、手袋に設置したことを特徴とする、第一発明に記載の手袋である。
【発明の効果】
【０００６】  本発明は、手袋の甲の部分の外面側に、メモ内容を記入することが出来る、メモ記入用部材を設けたことにより、手帳等を取り出すことなく、手袋をはめた指の状態でも、即座に、メモ記入用部材にメモ内容を記入することが、可能になった。
また、メモ記入用部材に、事前に、メモ内容を記入しておくことにより、手袋を装着した状態でも、手帳等を取り出すことなく、即座に、メモ内容を確認することが可能となった。
【図面の簡単な説明】
【０００７】
【図１】この発明の左手の甲の部の全体図である。
【図２】この発明の実施形態Ｉを示す。
【図３】この発明の実施形態ＩＩを示す。
【図４】この発明の実施形態ＩＩＩを示す。
【図５】この発明の実施形態ＩＶを示す。
【発明を実施するための形態】
【０００８】（実施の形態Ｉ）
本発明の実施形態Ｉを、図２に示す。
本発明は、図１に示す手袋１において、手袋甲部表面３すなわち図２に示す手袋甲部表面２−３に、メモ用部材２−２を、接着材２−４により、固定したものである。
【０００９】（実施の形態ＩＩ）
本発明の実施形態ＩＩを、図３に示す。
本発明は、図１に示す手袋１において、手袋甲部表面３すなわち図３に示す手袋甲部表面３−３に、単数枚又は複数枚の着脱型メモ用部材３−２を、表面硬化型塗布剤３−５の硬化した表面に貼付したものである。
複数枚の着脱型メモ用部材３−２は、手袋をはめたままの指でメモ用部材を、一枚ずつめくる事が出来るように、一番上側になるメモ用部材のめくる側の端部が、常に一番外側にはみ出るように、一枚ずつ階段状にずらして重ねる事とするものである。
【００１０】（実施の形態ＩＩＩ）
本発明の実施形態ＩＩＩを、図４に示す。
本発明は、図１に示す手袋１において、手袋甲部表面３すなわち図４に示す手袋甲部表面４−３に、表面硬化型塗布剤４−５を塗布し、硬化した表面を、図１に示すメモ用部材２としたものである。
【００１１】（実施の形態ＩＶ）
本発明の実施形態ＩＶを、図５に示す。
本発明は、図１に示す手袋１において、図１に示すメモ用部材２の形状を、円形形状としたものである。
本発明は、図１に示す手袋１において、手袋甲部表面３すなわち図５に示す手袋甲部表面５−３に、表面硬化型塗布剤５−５を塗布し、硬化した表面を、図１に示すメモ用部材２としたものである。
【００１２】  本発明における、図１に示すメモ用部材２の形状は、矩形、円形星型、など各種形状をとるものする。
また、図１に示すメモ用部材２の色は、各種色彩をとるものとする。
【００１３】  本発明における、接着剤２−４、表面硬化型塗布剤３−５、４−５、５−５は、硬化時において、いづれも手袋の機能障害とならないものとする。
また、表面硬化型塗布剤４−５、５−５の表面は、メモ内容を直接記入することが可能な状態に、塗布後、表面が硬化するものとする。
【００１４】  本発明は、即座にメモしたい時に、手袋１をはめたまま、手帳等を取り出すことなく、メモ用部材２に、メモ内容を書き込むことが可能な、作用効果を生じる。
また、メモ用部材２に、事前にメモ内容を記入しておくことにより、手袋１をはめたまま、手帳等を取り出すことなく、メモ内容の確認が可能な作用効果を生じる。
さらに、現場には手袋をほぼ確実に携帯するため、手袋１とメモ用部材２を一体化したことにより、現場においてメモ帳を忘れて困ったということが減少した。
【符号の説明】
【００１５】１                                    手袋（左手用）
２、２−２                            メモ用部材
２−４                                接着剤
３、２−３、３−３、４−３、５−３    手袋甲部表面
３−２                                着脱型メモ用部材（単数枚または複数枚）
３−５                                表面硬化型塗布剤
４−５、５−５                        表面硬化型塗布剤（表面メモ面）
【図１】
2015052190.tif 000003
【図２】
2015052190.tif 000004
【図３】
2015052190.tif 000005
【図４】
2015052190.tif 000006
【図５】
2015052190.tif 000007